(57)【要約】【課題】センサユニットの前端部を確実にカバーに係止させる。【解決手段】便座装置Ａは、上面から前面に亘って開口する窓孔１７を有するカバー１１と、カバー１１に対し窓孔１７を塞ぐように取り付けられるセンサユニット３０とを備える。センサユニット３０の前端部は、その段差部３５の下方に面する天井面３６を窓孔１７の前縁部１７Ｆに載置させるとともに、段差部３５の前方に面する当接面３７をカバー１１の内面に対して後方から当接又は接近して対向させることにより、カバー１１に係止される。センサユニット３０とカバー１１には、センサユニット３０をカバー１１に取り付ける過程において、センサユニット３０を前方へ誘導する誘導部２４Ａ〜２４Ｅ，４５Ａ〜４５Ｅが形成されている。【選択図】図４
2010194117.tif 000002
【特許請求の範囲】
【請求項１】
便器本体における便鉢の後方位置に取り付けられるベース部材と、
揺動可能な便座と、
前記ベース部材を上から覆うように配置され、上面から前面に亘って開口する貫通形態の窓孔が形成されているカバーと、
前記カバーに対し前記窓孔を塞ぐように取り付けられるセンサユニットとを備え、
前記センサユニットの前端部には、その前端面のうちの下端側を凹ませた形態の段差部が形成され、
前記段差部の下方に面する天井面を前記窓孔の開口縁のうちの前縁部に載置させるとともに、前記段差部の前方に面する当接面を前記カバーの内面に対して後方から当接又は接近して対向させることにより、前記センサユニットの前端部を前記カバーに係止させるようになっており、
前記センサユニットと前記カバーには、前記センサユニットを前記カバーに取り付ける過程において、前記センサユニットを前方へ誘導する誘導部が形成されていることを特徴とする便座装置。
【請求項２】
前記センサユニット側の前記誘導部と前記カバー側の前記誘導部のうち少なくとも一方には、前後方向に対して傾斜した誘導面が形成されていることを特徴とする請求項１記載の便座装置。
【請求項３】
前記カバー側の前記誘導部と前記センサユニット側の前記誘導部には、前記天井面が前記窓孔の前縁部から後方へ外れた状態において互いに当接することにより、前記センサユニットの取付け動作を規制する規制面が形成されていることを特徴とする請求項１又は請求項２記載の便座装置。
【請求項４】
前記センサユニットは、前記カバーの内側から前記窓孔に嵌合するようにして組み付けられるようになっており、
前記カバーの内面には、前記センサユニットを左右両側から挟むように位置する一対のガイド壁が形成されていることを特徴とする請求項１ないし請求項３のいずれか１項に記載の便座装置。
【請求項５】
前記一対のガイド壁における前記センサユニットとの対向面には、前記窓孔に接近するほど間隔が狭まった形態のガイド斜面が形成されていることを特徴とする請求項４記載の便座装置。
【発明の詳細な説明】
【技術分野】
【０００１】
本発明は、便座装置に関するものである。
【背景技術】
【０００２】
特許文献１には、センサユニットを備えた便座装置が開示されている。この便座装置は、便器本体における便鉢よりも後方に載置されるベース部材と、ベース部材の上面を覆うカバーと、カバーに揺動可能に支持された便座とを備えている。カバーには、その上面から前面に亘って開口する貫通形態の窓孔が形成され、センサユニットは、窓孔を塞ぐようにしてカバーに取り付けられている。
【０００３】
カバーに対するセンサユニットの取付け構造は、センサユニットの前端部をカバーに係止し、センサユニットの後端部をカバーに対して離脱規制するようになっている。そして、センサユニットの前端部をカバーに係止する手段として、センサユニットのパネルに形成したリブを、カバーの溝に嵌める構造が採用されている。
【先行技術文献】
【特許文献】
【０００４】
【特許文献１】特開２００４−２７５２６８号公報
【発明の概要】
【発明が解決しようとする課題】
【０００５】
リブは、パネル（即ち、板状の部材）に形成されているため、強度や剛性の点で信頼性が低い。そのため、リブを溝に嵌める構造では、リブが破損や変形を来すことが原因となって、センサユニットの前端部がカバーから外れてしまう虞がある。
【０００６】
リブ形状を用いずにセンサユニットの前端部をカバーに係止する手段としては、センサユニットの前端部の下端側を段差状に凹ませた形状とし、その段差部の天井面を窓孔の開口縁のうちの前縁部に載せるとともに、段差部の前面をカバーの内面に対して後方から当接させる構造が考えられる。しかし、この構造では、センサユニットを取り付ける際に、作業者が段差部の天井面を直接目視できないことから、段差部の天井面と窓孔の前縁部との係止状態を確認することができない。そのため、係止代が不十分であったり、センサユニットの前端部がカバーから外れてしまう等の不具合が懸念される。
【０００７】
本発明は上記のような事情に基づいて完成されたものであって、センサユニットの前端部を確実にカバーに係止させることを目的とする。
【課題を解決するための手段】
【０００８】
上記の目的を達成するための手段として、請求項１の発明は、便器本体における便鉢の後方位置に取り付けられるベース部材と、揺動可能な便座と、前記ベース部材を上から覆うように配置され、上面から前面に亘って開口する貫通形態の窓孔が形成されているカバーと、前記カバーに対し前記窓孔を塞ぐように取り付けられるセンサユニットとを備え、前記センサユニットの前端部には、その前端面のうちの下端側を凹ませた形態の段差部が形成され、前記段差部の下方に面する天井面を前記窓孔の開口縁のうちの前縁部に載置させるとともに、前記段差部の前方に面する当接面を前記カバーの内面に対して後方から当接又は接近して対向させることにより、前記センサユニットの前端部を前記カバーに係止させるようになっており、前記センサユニットと前記カバーには、前記センサユニットを前記カバーに取り付ける過程において、前記センサユニットを前方へ誘導する誘導部が形成されているところに特徴を有する。
【０００９】
請求項２の発明は、請求項１に記載のものにおいて、前記センサユニット側の前記誘導部と前記カバー側の前記誘導部のうち少なくとも一方には、前後方向に対して傾斜した誘導面が形成されているところに特徴を有する。
【００１０】
請求項３の発明は、請求項１又は請求項２に記載のものにおいて、前記カバー側の前記誘導部と前記センサユニット側の前記誘導部には、前記天井面が前記窓孔の前縁部から後方へ外れた状態において互いに当接することにより、前記センサユニットの取付け動作を規制する規制面が形成されているところに特徴を有する。
【００１１】
請求項４の発明は、請求項１ないし請求項３のいずれか１項に記載のものにおいて、前記センサユニットは、前記カバーの内側から前記窓孔に嵌合するようにして組み付けられるようになっており、前記カバーの内面には、前記センサユニットを左右両側から挟むように位置する一対のガイド壁が形成されているところに特徴を有する。
【００１２】
請求項５の発明は、請求項４に記載のものにおいて、前記一対のガイド壁における前記センサユニットとの対向面には、前記窓孔に接近するほど間隔が狭まった形態のガイド斜面が形成されているところに特徴を有する。
【発明の効果】
【００１３】
＜請求項１の発明＞
センサユニットをカバーに取り付ける際には、誘導部によってセンサユニットが前方へ誘導されるので、段差部の前面をカバーの内面に対して確実に当接又は接近させことができる。これにより、前後方向において、段差部の天井面と窓孔の開口縁の前縁部の係止代が十分に確保されるので、センサユニットの前端部がカバーから外れる虞はない。
【００１４】
＜請求項２の発明＞
センサユニットは、誘導面に沿って摺接することにより円滑に誘導される。
【００１５】
＜請求項３の発明＞
センサユニットを取り付ける過程において、センサユニットが後方へ大きく位置ずれし、センサユニットの天井面が窓孔の前縁部から後方へ外れた非係止状態になった場合には、規制面同士が当接することによりセンサユニットの取付け動作が規制される。したがって、天井面が窓孔の前縁部に係止しない状態のままでセンサユニットが取り付けられてしまう虞はない。
【００１６】
＜請求項４の発明＞
センサユニットは、一対のガイド壁によりカバーに対して左右方向に位置決めされるので、センサユニットは、正しい位置に取り付けられて確実に窓孔に嵌合される。  
センサユニットをカバーの内側から窓孔に嵌合するようにして組み付けるので、窓孔の開口縁におけるカバーの内面を、窓孔の貫通方向においてセンサユニットを位置決めするためのストッパとしてそのまま利用できる。したがって、カバーの外面における窓孔の開口縁に段差状のストッパを形成しなくても、センサユニットの外面とカバーの外面とを面一状にすることができる。  
また、センサユニット側については、その外面の周縁部のうち窓孔に嵌合される部分を段差状に凹ませせて引っ掛かり形状を作るだけで済むので、外面側に張り出す部分を形成せずに済む。したがって、窓孔におけるセンサユニットの露出面積を小さく抑えることができる。
【００１７】
＜請求項５の発明＞
センサユニットを取り付ける過程では、センサユニットは、ガイド斜面により正規の位置へ誘導されるので、作業性が向上する。
【図面の簡単な説明】
【００１８】
【図１】実施形態１において便座装置を便器本体に取り付けた状態をあらわす側面図
【図２】カバーにセンサユニットを取り付ける途中の状態をあらわす一部切欠斜視図
【図３】カバーにセンサユニットを取り付ける前の状態をあらわす一部切欠側面図
【図４】カバーにセンサユニットを取り付ける途中の状態をあらわす一部切欠側面図
【図５】カバーにセンサユニットを取り付けた状態をあらわす一部切欠側面図
【図６】カバーにセンサユニットを取り付けた状態をあらわす斜視図
【図７】カバーにおけるセンサユニットの取付部分をあらわす底面図
【図８】図５のＸ−Ｘ線断面図
【図９】センサユニットの斜視図
【発明を実施するための形態】
【００１９】
＜実施形態１＞
以下、本発明を具体化した実施形態１を図１乃至図９を参照して説明する。本実施形態の便座装置Ａは、便器本体Ｂに取り付けられた状態で使用され、この便座装置Ａと便器本体Ｂとによって便器装置が構成されている。便器本体Ｂは、上面が開放された便鉢（図示省略）と、便鉢の後方に便鉢と一体に形成された台座部（図示省略）とを備えて構成された周知の形態のものである。
【００２０】
便座装置Ａは、ベース部材１０、カバー１１、便座１２、便蓋１３、複数の機能部材（図示省略）、回路基板（図示省略）、センサユニット３０を備えて構成される。ベース部材１０は、便器本体Ｂの台座部の上面に取り付けられる。カバー１１は、合成樹脂製であり、ベース部材１０に対しその上面を覆うように組み付けられる。便座１２と便蓋１３は、カバー１１に揺動可能に取り付けられている。機能部材は、ベース部材１０又はカバー１１に取り付けられており、通電により作動する。機能部材としては、局部洗浄装置、便座暖房装置、温風発生装置、脱臭装置、オーディオ装置、便座開閉装置、便蓋開閉装置等がある。回路基板は、ベース部材１０に取り付けられ、機能部材に対する電力供給及び機能部材の制御を行う。
【００２１】
センサユニット３０は、人体検知センサ３１と、リモコン受光部（図示省略）とを一体化させたものであり、全体として前後方向に細長いブロック状をなす。センサユニット３０の上面のうち左右両側縁を除いたほぼ全領域は、赤外線を透過可能であり且つ可視光線は透過しない保護板３２で覆われている。人体検知センサ３１は、赤外線発光部（図示省略）と赤外線受光部３１Ａとを備えており、便器装置に人が接近したか否かを検知し、その検知信号を回路基板に出力する。赤外線発光部は、保護板３２で覆われた領域内に配置されている。
【００２２】
センサユニット３０の前面における概ね上半分の領域は、保護板３２の前端部で覆われており、この領域内には収容凹部３３が形成され、この収容凹部３３内に、赤外線受光部３１Ａがセンサユニット３０外へ露出した状態で収容されている。正面から見て赤外線受光部３１Ａはほぼ円形であるのに対し、収容凹部３３は、正面から見て横長の略楕円形に開口しているため、赤外線受光部３１Ａの受光範囲は、上下方向に比べて左右方向が広くなっている。また、センサユニット３０の上面部及び前面部のうち保護板３２で覆われた部分は、一定の幅寸法で連なる嵌合部３４となっている。
【００２３】
リモコン受光部は、保護板３２で覆われた領域内に配置されており、トイレの壁面等に設けたリモコン装置からの赤外線信号を受信し、その受信信号を回路基板に出力する。さらに、カバー１１には、便座１２に人が座っているか否かを検知する着座センサ１４が設けられ、この着座センサ１４からの検知信号が回路基板に出力される。回路基板に入力された人体検知センサ３１からの検知信号、リモコン受光部からの受信信号及び着座センサ１４からの検知信号に基づき、機能部材が作動する。
【００２４】
次に、カバー１１に対するセンサユニット３０の取付け構造を説明する。カバー１１は、僅かに前方に向かって下り勾配となっている上面壁１５と、上面壁１５の前端縁からほぼ鉛直方向下向きに延出する前面壁１６とを有している。カバー１１には、上面壁１５から前面壁１６に亘って貫通するように開口させた窓孔１７が形成されている。窓孔１７は、前後方向に細長く開口し、窓孔１７の左右の幅は全長に亘って一定である。また、便器装置の前方からカバー１１を見たときに、窓孔１７は、上面壁１５における左側の側縁に沿った位置に配置されている。尚、以下の説明における左右の方向は、便器装置の前方からカバー１１を見た状態を基準とする。
【００２５】
図７に示すように、上面壁１５の下面には、下方へ突出した形態の第１〜第３ロック用受け部１８，１９，２０が形成されている。第１ロック用受け部１８は、窓孔１７の開口縁の左側縁に沿った位置であって、窓孔１７の前後方向におけるほぼ中央の位置に配置されている。第２ロック用受け部１９は、窓孔１７の左側縁に沿った位置であって、第１ロック用受け部１８よりも後方の位置に配置されている。第３ロック用受け部２０は、窓孔１７の右側縁の後端部に配置されている。第１ロック用受け部１８と第２ロック用受け部１９には、その右側面を凹ませた形態のロック孔２１が形成され、第３ロック用受け部２０には左右方向に貫通する形態のロック孔２１が形成されている。
【００２６】
上面壁１５の下面には、一対のガイド壁２２が下方へ突出する形態で形成されている。一対のガイド壁２２は、窓孔１７の左右両側縁に沿うように配置され、前後方向においては上面壁１５の前端の近くであって第１ロック用受け部１８よりも前方に位置している。一対のガイド壁２２の内面（互いに対向する面）には、ガイド斜面２３が形成されている。一対のガイド斜面２３は、その左右間隔が上方に向かうほど（窓孔１７に接近するほど）次第に狭まるように傾斜している。
【００２７】
上面壁１５の下面には、第１〜第５誘導突起２４Ａ〜２４Ｅ（本発明の構成要件であるカバー１１側の誘導部）が形成されている。各誘導突起２４Ａ〜２４Ｅの側方から見た形状は、いずれも同じであり、下方に向かって前後方向の寸法（幅寸法）が次第に小さくなるような台形をなしている。各誘導突起２４Ａ〜２４Ｅの前面は、上下方向及び前後方向の両方向に対して傾斜した誘導面２５となっている。また、各誘導突起２４Ａ〜２４Ｅの下面は、水平な受け面２６（本発明の構成要件であるカバー１１側の規制面）となっている。
【００２８】
第１誘導突起２４Ａは、窓孔１７の開口縁のうちの左側縁に沿って配置され、前後方向においては、上面壁１５の前端近くであってガイド壁２２よりも前方の位置に配置されている。第２〜第４誘導突起２４Ｂ〜２４Ｄは、窓孔１７の左側縁に沿って前後に接近して順に並ぶように配置され、前後方向においては上面壁１５のほぼ中央位置であって第１ロック用受け部１８と第２ロック用受け部１９との間の位置に配置されている。第５誘導突起２４Ｅは、窓孔１７の左側縁に沿って配置され、前後方向においては上面壁１５の後端近くであって第２ロック用受け部１９よりも後方の位置に配置されている。
【００２９】
また、上面壁１５の下面には、ビス止め部２７が形成されている。ビス止め部２７は、窓孔１７の右側縁に沿った位置であって、前後方向においては上面壁１５の前端近くであってガイド壁２２よりも前方の位置に配置されている。このビス止め部２７には、下面に開口するビス止め孔２８が形成されている。
【００３０】
センサユニット３０は、その嵌合部３４の幅寸法が窓孔１７の幅と同じかそれよりも僅かに小さい寸法とされていて、カバー１１に正しく取り付けた状態では嵌合部３４が窓孔１７に殆ど隙間なく嵌合されるようになっている。そして、センサユニット３０をカバー１１に取り付けた状態では、センサユニット３０の嵌合部３４の上面とカバー１１の上面とがほぼ面一状に（段差がないように）連なり、センサユニット３０の前面とカバー１１の前面とがほぼ面一状に（段差がないように）連なる。
【００３１】
センサユニット３０の前端部には、その前面のうち略上半分の領域（収容凹部３３と赤外線受光部３１Ａが配置されている領域）に対して、略下半分の領域が段差状に凹んだ形態の段差部３５が形成されている。段差部３５は、センサユニット３０の前面の全幅に亘って形成されており、下方に面する天井面３６と、前方に面する当接面３７とを有している。
【００３２】
センサユニット３０には、窓孔１７の開口縁との隙間をシールするためのパッキン３８が取り付けられている。パッキン３８は、センサユニット３０の上面のうち嵌合部３４に対して段差状に低くなった左右両側縁部に沿って前後方向に細長く延びる一対のサイドシール部３８Ｓと、この左右両サイドシール部３８Ｓの前端同士を繋いだ形態であって当接面３７の上端部に沿って左右方向に細長く延びるフロントシール部３８Ｆとから構成されている。また、センサユニット３０の右側面には、カバー１１のビス止め部２７と対応する突起状取付部３９が形成されている。突起状取付部３９には、ビス止め孔２８と対応する開口部４０が形成されている。
【００３３】
センサユニット３０をカバー１１に正しく取り付けた状態では、図５に示すように、天井面３６が窓孔１７の開口縁のうちの前縁部１７Ｆに対して上から当接（載置）されるとともに、当接面３７が、カバー１１の前面壁１６の内面に対して後方からパッキン３８のフロントシール部３８Ｆを介して突き当たる。これにより、センサユニット３０の前端部が、カバー１１に対して下方及び前方への相対変位を規制された状態で係止される。また、天井面３６が窓孔１７の前縁部１７Ｆに対して上から当接しているので、センサユニット３０の前端部は確実に下から支承された状態に保たれ、センサユニット３０は、その上面に荷重を受けてもカバー１１から外れる虞はない。
【００３４】
また、サイドシール部３８Ｓが、窓孔１７の左右両側縁に沿って配置され、上面壁１５の内面（下面）に密着するとともに、フロントシール部３８Ｆが窓孔１７の前縁に沿って配置され、前面壁１６の内面（後面）に密着することで、窓孔１７の左右両側縁と前縁における防水が図られる。
【００３５】
センサユニット３０には、第１〜第３弾性ロック片４１〜４３が形成されている。第１弾性ロック片４１は、センサユニット３０の左側面に沿った形態であって、第１ロック用受け部１８と対応するように窓孔１７の前後方向におけるほぼ中央の位置に配置されている。第２弾性ロック片４２は、センサユニット３０の左側面に沿った形態であって、第２ロック用受け部１９と対応するように第１弾性ロック片４１よりも後方の位置に配置されている。第３弾性ロック片４３は、センサユニット３０の右側面に沿った形態であって、第３ロック用受け部２０と対応するようにセンサユニット３０の後端部に配置されている。また、第１〜第３弾性ロック片４１〜４３は、その外面にロック突起４４が形成されていて、内側へ弾性撓みし得るようになっている。
【００３６】
センサユニット３０には、第１〜第５誘導リブ４５Ａ〜４５Ｅ（本発明の構成要件であるセンサユニット３０側の誘導部）が形成されている。各誘導リブ４５Ａ〜４５Ｅの側方から見た形状は、いずれも同じであり、３つのリブ状突起を連ねることにより、上方に向かって前後方向の寸法（幅寸法）が次第に小さくなるような台形をなしている。各誘導リブ４５Ａ〜４５Ｅの後面は、上下方向及び前後方向の両方向に対して傾斜した誘導面４６となっている。このセンサユニット３０の誘導面４６の傾斜角度は、センサユニット３０が正しくカバー１１に取り付けられた状態においてカバー１１側の誘導面２５の傾斜角度と同じとなる。また、各誘導リブ４５Ａ〜４５Ｅの上面は、センサユニット３０の上面とほぼ平行な突当面４７（本発明の構成要件であるセンサユニット３０側の規制面）となっている。
【００３７】
第１誘導リブ４５Ａは、センサユニット３０の左側面から突出した形態であり、前後方向においては、第１誘導突起２４Ａと対応するようにセンサユニット３０の前端近くの位置に配置されている。第２〜第４誘導リブ４５Ｂ〜４５Ｄは、センサユニット３０の左側面から突出した形態であって、前後に連なって順に並ぶように配置されている。この第２〜第４誘導リブ４５Ｂ〜４５Ｄは、夫々、第２〜第４誘導突起２４Ｄと対応するように、前後方向においてはセンサユニット３０のほぼ中央位置であって第１弾性ロック片４１と第２弾性ロック片４２との間の位置に配置されている。第５誘導リブ４５Ｅは、センサユニット３０の左側面から突出した形態であり、前後方向においては、第５誘導突起２４Ｅと対応するようにセンサユニット３０の後端近くであって第２弾性ロック片４２よりも後方の位置に配置されている。
【００３８】
次に、本実施形態の作用を説明する。センサユニット３０をカバー１１に取り付ける際には、上面壁１５に対して斜め姿勢にしたセンサユニット３０の前端部を、カバー１１の下方から窓孔１７の前端部に接近させ、センサユニット３０の当接面３７の下端縁を前面壁１６の後面（内面）に対して後方から当接させるとともに、センサユニット３０の上端部（段差部３５）のうち天井面３６よりも上方の部分を窓孔１７内に嵌め入れる。
【００３９】
そして、センサユニット３０と窓孔１７との当接部分を支点として、センサユニット３０の後端部が上面壁１５（窓孔１７）に接近するようにセンサユニット３０を揺動させながらカバー１１への取り付け作業を進めていく。取り付け作業が進む過程では、一対のガイド壁２２の間にセンサユニット３０の前端部が挟まれるように入り込み、これにより、センサユニット３０が左右方向において位置決めされる。ガイド壁２２の間に入り込むときに、センサユニット３０が窓孔１７に対して左右に位置ずれしていたとしても、ガイド斜面２３に摺接することにより正しい位置に矯正される。このガイド壁２２によるガイド及び位置決め作用は、取付けが完了するまで継続される。
【００４０】
ガイド壁２２によるガイドが開始した後、第１弾性ロック片４１がそのロック突起４４を第１ロック用受け部１８に当接させて弾性撓みし、次いで、第２弾性ロック片４２と第３弾性ロック片４３がそのロック突起４４を第２ロック用受け部１９と第３ロック用受け部２０に当接させて順に弾性撓みする。そして、嵌合部３４の全体が窓孔１７に嵌合してセンサユニット３０が正しい位置に取り付けられると、第１〜第３弾性ロック片４１〜４３が弾性復帰して、それらのロック突起４４が対応するロック孔２１に係止し、この係止作用によりセンサユニット３０が取り付け状態にロックされる。この後は、センサユニット３０に形成されている突起状取付部３９の開口部４０にビス４８を通してビス止め部２７のビス止め孔２８にねじ込めば、センサユニット３０はカバー１１に対して離脱規制された状態に固定される。
【００４１】
さて、センサユニット３０を取り付ける過程では、センサユニット３０がカバー１１に対して相対的に後方へ位置ずれして、センサユニット３０の前端部（段差部３５）が窓孔１７の前縁部１７Ｆから外れ、その結果、円滑な取り付け作業に支障を来すことが懸念される。しかし、本実施形態では、センサユニット３０の第１〜第５誘導リブ４５Ａ〜４５Ｅの誘導面４６が、夫々、カバー１１の第１〜第５誘導突起２４Ａ〜２４Ｅの誘導面２５に対して前方から当接して摺接するので、センサユニット３０は、カバー１１に対して後方へ相対移動することはない。したがって、段差部３５を支点としてセンサユニット３０を支障なく揺動させ、正しい取付け位置及び姿勢に到達させることができる。
【００４２】
また、取付けの開始時又は途中で、センサユニット３０がカバー１１に対して大きく後方へ変位した場合には、取付けの途中で第１〜第５誘導リブ４５Ａ〜４５Ｅのうち少なくとも１つの誘導リブの突当面４７が、第１〜第５誘導突起２４Ａ〜２４Ｅのいずれかの受け面２６に対して下から突き当たるので、それ以上のセンサユニット３０の取り付け動作が阻止される。したがって、段差部３５が窓孔１７から外れた状態で、センサユニット３０が無理に取り付けられる、という虞はない。
【００４３】
上述のように本実施形態においては、センサユニット３０をカバー１１に取り付ける際に、誘導突起２４Ａ〜２４Ｅと誘導リブ４５Ａ〜４５Ｅとの当接による誘導作用によってセンサユニット３０を前方へ誘導するようにしたので、段差部３５の当接をカバー１１の内面に対して確実に当接又は接近させことができる。これにより、前後方向において、段差部３５の天井面３６と窓孔１７の開口縁の前縁部１７Ｆの係止代が十分に確保されるので、センサユニット３０の前端部がカバー１１から外れる虞はない。
【００４４】
また、誘導突起２４Ａ〜２４Ｅと誘導リブ４５Ａ〜４５Ｅに前後方向に対して傾斜した誘導面２５、４６を形成し、双方の誘導面２５、４６同士を摺接させることにより、センサユニット３０をカバー１１に対して前方へ相対変位させる力を生じさせるようにしたので、誘導動作が円滑に行われる。
【００４５】
また、本実施形態では、センサユニット３０をカバー１１に組み付けた状態で、センサユニット３０の外面（上面及び前面）がカバーの外面（上面及び前面）と面一になるのであるが、このような形態を前提として、センサユニット３０を、カバー１１に対して外側から窓孔１７に嵌合して組み付けようとした場合には、次のような問題が生じる。
【００４６】
まず、窓孔１７の開口縁には、センサユニット３０の外縁部を係止させるために段差状に内側へ凹ませたストッパを形成する必要があるため、窓孔１７の開口縁を段差状に成形するか、若しくはカバー１１全体の厚さをストッパの凹み寸法よりも大きくなるように肉厚にする必要がある。ところが、前者の形態では、カバーを成形するための金型の形状が複雑になって金型コストがアップする。一方、後者の形態では、カバー１１が重たくなる、カバー１１の材料コストがアップする等の問題を来す。
【００４７】
さらに、センサユニット３０の外面に沿った外縁部には、ストッパに係止するための張出部を形成しなければならないので、センサユニット３０の外面側の寸法が大きくなり、カバー１１の外面（窓孔１７）におけるセンサユニット３０の露出面積が大きくなってしまう。
【００４８】
その点、本実施形態では、センサユニット３０をカバー１１の内側から窓孔１７に嵌合するようにして組み付けるので、窓孔１７の開口縁におけるカバー１１の内面を、窓孔１７の貫通方向においてセンサユニット３０を位置決めするためのストッパとしてそのまま利用できる。したがって、カバー１１の外面における窓孔１７の開口縁に段差状のストッパを形成しなくても、センサユニット３０の外面とカバー１１の外面とを面一状にすることが実現されている。
【００４９】
また、センサユニット３０側については、その外面の周縁部のうち窓孔１７に嵌合される部分を段差状に凹ませせた引っ掛かり形状（嵌合部３４）を作るだけで済んでいる。したがって、窓孔１７の開口縁に係止させる手段として、センサユニット３０の外面に沿って外側方へ張り出す部分を形成した場合に比べると、窓孔１７におけるセンサユニット３０の露出面積が小さく抑えられている。
【００５０】
＜他の実施形態＞
本発明は上記記述及び図面によって説明した実施形態に限定されるものではなく、例えば次のような実施態様も本発明の技術的範囲に含まれる。  
（１）上記実施形態ではセンサユニットをカバーの内側から取り付けるようにしたが、本発明によれば、センサユニットをカバーの外側から取り付けるようにしてもよい。  
（２）上記実施形態ではセンサユニット側の誘導部とカバー側の誘導部の両方に誘導面を形成したが、本発明によれば、誘導面は、センサユニット側の誘導部とカバー側の誘導部のうちいずれか一方のみに形成してもよい。  
（３）上記実施形態では、一対のガイド壁におけるセンサユニットとの対向面に、窓孔に接近するほど間隔が狭まった形態のガイド斜面を形成したが、本発明によれば、ガイド斜面はいずれか一方のガイド壁のみに形成してもよい。  
（４）上記実施形態では、一対のガイド壁におけるセンサユニットとの対向面に、窓孔に接近するほど間隔が狭まった形態のガイド斜面をしたが、本発明によれば、ガイド壁は、ガイド斜面を有しない形態であってもよい。  
（５）上記実施形態では誘導部に規制面を形成したが、本発明によれば、誘導部は規制面を有しない形態であってもよい。
【符号の説明】
【００５１】
Ａ…便座装置
１０…ベース部材
１１…カバー
１２…便座
１７…窓孔
１７Ｆ…窓孔の前縁部
２２…ガイド壁
２３…ガイド斜面
２４Ａ〜２４Ｅ…第１〜第５誘導突起（カバー側の誘導部）
２５…カバー側の誘導面
２６…受け面（カバー側の規制面）
３０…センサユニット
３５…段差部
３６…天井面
３７…当接面
４５Ａ〜４５Ｅ…第１〜第５誘導リブ（センサユニット側の誘導部）
４６…センサユニット側の誘導面
４７…突当面（センサユニット側の規制面）
【図１】
2010194117.tif 000003
【図２】
2010194117.tif 000004
【図３】
2010194117.tif 000005
【図４】
2010194117.tif 000006
【図５】
2010194117.tif 000007
【図６】
2010194117.tif 000008
【図７】
2010194117.tif 000009
【図８】
2010194117.tif 000010
【図９】
2010194117.tif 000011